(57)【特許請求の範囲】
【請求項１】
用紙取り出し用のスペースが形成される手前側以外の側方を囲まれて形成されてなる用紙排出スペースの上方で略直方形状のスキャナフレームを前記本体フレームに締結する締結構造であって、
略同一面上に配置された前記スキャナフレームの左右側板の一方の側板又は前記本体フレームの左右側板の一方の側板のいずれかに、締結対象となる他方のフレームの側板に平行な連結部を一体的に延設し、この連結部を前記他方のフレームの側板に密着させて取り付けることにより前記スキャナフレームと本体フレームとを締結したことを特徴とするスキャナフレームの締結構造。
【発明の詳細な説明】
【０００１】
【発明の属する技術分野】
本発明は、原稿の画像を読み取るスキャナ部の真下に、画像を複写した用紙を排出する排出部を備えるタイプの複写機において、特に、本体フレームの上方に配設される略直方形状のスキャナフレームをその本体フレームに締結するスキャナフレームの締結構造に関する。
【０００２】
【従来の技術】
原稿の画像を読み取るスキャナ部の真下に、画像を複写した用紙を排出する排出部を備えるタイプの複写機においては、通常、排出部に排出された用紙を取り出し易くするために、図７に示すように、本体フレーム１００のうち、通常の操作位置からみて排出部Ｓの右側方の部分については、奥側にフレーム１０１を設けることで手前側に用紙取出用のスペース１０２を形成する。その関係から、この部分については、スキャナ部に備えられるスキャナフレーム１０３の右側方は、その奥側で本体フレーム１００に取付・支持される。
【０００３】
その場合に、従来では、図７、図８に示すように、スキャナフレーム１０３の右側方は、本体フレーム１００の上方に載置された状態で、スキャナフレーム１０３の底板１０４と本体フレーム１００のうち上記底板１０４に対接する鍔部１０５とがネジ等の締結部材１０６により締結されていた。
【０００４】
【発明が解決しようとする課題】
しかしながら、上記のような従来の締結構造では、スキャナフレーム１０３の右側板１０７が上記締結位置から離間しているため、スキャナフレーム１０３に上方から荷重がかかると、スキャナフレーム１０３のうちフレーム１００に支持されていない右側方の手前側の部位１０８がその荷重で下方に沈み込む一方、スキャナフレーム１０３の右側板１０７の奥側は図９に示すように上方に浮き上がり、スキャナフレーム１０３に捩れ変形が生じることがある。スキャナフレーム１０３には、位置精度が要求されるミラーやＣＣＤが取り付けられているので、スキャナフレーム１０３が上記のように変形すると、それらの部材の取付位置がずれ、画像の読取精度に影響を来たす虞がある。
【０００５】
本発明は、上記に鑑みてなされたもので、原稿の画像を読み取るスキャナ部の真下に、画像を複写した用紙を排出する排出部を備えるタイプの複写機において、この複写機に備えられるスキャナフレームの変形を抑制できるスキャナフレームの締結構造を提供することを目的とする。
【０００６】
【課題を解決するための手段】
請求項１に記載の発明は、用紙取り出し用のスペースが形成される手前側以外の側方を囲まれて形成されてなる用紙排出スペースの上方で略直方形状のスキャナフレームを前記本体フレームに締結する締結構造であって、
略同一面上に配置された前記スキャナフレームの左右側板の一方の側板又は前記本体フレームの左右側板の一方の側板のいずれかに、締結対象となる他方のフレームの側板に平行な連結部を一体的に延設し、この連結部を前記他方のフレームの側板に密着させて取り付けることにより前記スキャナフレームと本体フレームとを締結したことを特徴とするものである。
【０００７】
この発明によれば、用紙取り出し用のスペースが形成される手前側以外の側方を囲まれて形成されてなる用紙排出スペースの上方で略直方形状のスキャナフレームを前記本体フレームに締結する締結構造とし、略同一面上に配置された前記スキャナフレームの左右側板の一方の側板又は前記本体フレームの左右側板の一方の側板のいずれかに、締結対象となる他方のフレームの側板に平行な連結部を一体的に延設し、この連結部を前記他方のフレームの側板に密着させて取り付けることにより前記スキャナフレームと本体フレームとを締結したので、スキャナフレームの側板は、上下方向に大きな剛性を有する本体フレームの側板により固定されることになる。したがって、この締結構造を、スキャナフレームの側板とこの側板の一部に隣接する本体フレームの側板との締結に適用した場合、従来の締結構造に比べて、上方からの荷重による上記隣接部分の浮き上がりや隣接部分以外の部分の沈み込みが抑制される。
【０００８】
【発明の実施の形態】
以下、本発明を複写機に適用した一実施形態の全体的な構成について説明した後、本発明の特徴部分について説明する。
【０００９】
図１は、複写機１の外観構成を示す斜視図、図２は複写機１の概略構成を示す模式図である。なお、以下の説明においては、複写機１の通常の操作位置からみて（図１の矢印Ａの方向から見て）手前側を複写機の前方というものとする。
【００１０】
図１に示すように、複写機１は、装置本体２と、装置本体２の上部に開閉自在に装着された原稿押さえ３とを有している。装置本体２は、本体ハウジング４とその上部に載置された上ハウジング５で区画されており、本体ハウジング４と上ハウジング５の中間部には、本体ハウジング４から用紙Ｐが左側方から右側方に向けて排出される用紙排出部６が形成されている。
【００１１】
図２に示すように、上ハウジング５には、画像読取り位置において原稿を露光走査して画像の読取りを行う画像読取部７が内蔵されている。画像読取部７は、略直方形状のスキャナフレーム８（図３参照）内に、露光ランプ９やミラー１０，１１を備えてなる光学系を搭載した第１、第２走行枠１２，１３と、レンズ１４と、ＣＣＤラインセンサ１５とが配設されてなる。スキャナフレーム８の前後側板８１，８２（図３参照）には、レール部材１６がネジ１７（図３参照）により取り付けられ、第１、第２走行枠１２，１３がレール部材１６にガイドされつつ往復走行するようになっている。第１走行枠１２は、原稿に光を照射する露光ランプ９と、原稿からの反射光を第２走行枠１３へ反射するミラー１０とを有してなり、第２走行枠１３は、第１走行枠１２からの反射光をＣＣＤラインセンサ１５に向けて反射するミラー１１を有してなる。
【００１２】
そして、図略の駆動部により第１、第２走行枠１２，１３を所定の速度で図２の左右方向に往復動させつつ、コンタクトガラス１８上に載置された原稿に露光ランプ９で光を照射し、その反射光をレンズ１４を介してＣＣＤラインセンサ１５に導くことにより、原稿全面の画像情報を読み取る。
【００１３】
本体ハウジング４は、下部に配設された給紙部１９と、この給紙部１９の上方に配設された第１用紙搬送部２０と、第１用紙搬送部２０の上方に配設された画像形成部２１と、この画像形成部２１よりも用紙搬送方向下流側に配設された定着部２２と、定着後の用紙を搬送して用紙排出部６に排出するための第２用紙搬送部２３とを収納する。
【００１４】
給紙部１９は、給紙カセット２４，２５に積層載置された用紙Ｐを給紙ローラ２６，２７の回転動作によって給紙カセット２４，２５の出口側（図１の左側）に送り出すと共に、給紙カセット２４，２５の幅方向両端上部に設けられた図略のさばき爪によってさばくことにより、最上位置の用紙Ｐを１枚ずつ用紙搬送部２０に給紙するものである。
【００１５】
第１用紙搬送部２０は、給紙部１９から給紙された用紙を搬送ローラ対２８、レジストローラ対２９、転写前ガイド３０によって画像形成部２１に向けて搬送するものである。
【００１６】
画像形成部２１は、回転可能に軸支された光導電性を有する感光体ドラム３１と、この感光体ドラム３１の周囲にその回転方向に沿って、帯電器３２、レーザ走査ユニット（ＬＳＵ）３３、現像部３４、転写器３５、クリーニング部３６及び除電ランプ３７とを備え、電子写真プロセスによって感光体ドラム３１上に所定のトナー像を形成し、そのトナー像を用紙に転写するものである。
【００１７】
帯電器３２は、感光体ドラム３１を一定極性（本実施形態では正極性）に帯電させるものである。
【００１８】
レーザ走査ユニット（ＬＳＵ）３３は、画像読取部７によって読み取られた原稿の画像データに応じて強弱がつけられたレーザ光をレーザ発光器３８から出力し、ポリゴンミラー３９及び反射鏡４０を介して、正極性に帯電している感光体ドラム３１の露光領域に照射するものである。この照射されたレーザ光により、感光体ドラム３１の表面電位を画像に応じて減少させて、この感光体ドラム３１の表面に、原稿画像データに応じた静電潜像を形成させる。この光照射は、ポリゴンミラー３９の回転によって、帯電器３２と現像部３４の間の露光領域へ、回転する感光体ドラム３１の幅方向に繰り返して走査される。
【００１９】
現像部３４は、レーザ光により感光体ドラム３１上の正電荷の減少した（電位の減少した）静電潜像の部分に、現像領域において同極、即ち正帯電したトナーを付着させるものである。これにより、感光体ドラム３１上に形成されていた静電潜像がトナーにより現像されて、感光体ドラム３１の表面に可視像としてトナー像が形成される。
【００２０】
転写器３５は、感光体ドラム３１の転写領域において非接触状態にて対向配置された転写ローラ４１によって、用紙の裏面から負のコロナ放電を行って、感光体ドラム３１上に形成されているトナー像を静電的に用紙上に転写させるものである。
【００２１】
クリーニング部３６は、図略のクリーニングブレードの先端部を図略の付勢手段の付勢力により感光体ドラム３１の表面に付勢し、転写後の感光体ドラム３１の表面に付着している残留トナーを掻き落とすものである。
【００２２】
除電ランプ３７は、詳細には図示しないが、感光体ドラム３１の幅方向全域に渡って複数個のＬＥＤランプが１列または複数列に並んでアレイ状に構成されており、ＬＥＤランプ光を感光体ドラム３１の表面に照射して、感光体ドラム３１の残留電荷を除去するものである。
【００２３】
定着部２２は、画像形成部２１の用紙搬送方向の下流側に配置され、画像形成部２１においてトナー像が転写された用紙を、内部にヒータを有する加熱ローラ４２と、この加熱ローラ４２に押し付けられる加圧ローラ４３とで挟んで熱加圧し、用紙上にトナー像を溶着させて定着させるものである。
【００２４】
第２用紙搬送部２３は、画像形成部２１で画像形成された用紙Ｐを、定着部２２から排出ローラ対４４を介して用紙排出部６に排出するものである。
【００２５】
次に、本発明に係る部分について説明する。
【００２６】
図３は、装置本体２の枠組としての本体フレームへのスキャナフレーム８の取付状態を示す斜視図である。
【００２７】
図３に示すように、スキャナフレーム８は、上側の面に開口を有する直方形状の部材であり、上述したように、スキャナフレーム８の前後側板８１，８２の内面には、断面コ字型のレール部材１６が取り付けられている。
【００２８】
図４に示すように、レール部材１６が有する３つの面のうち、平行な２つの面１６ａ，１６ｂが第１、第２走行枠１２，１３を往復走行させる走行面１６ａ，１６ｂとされているとともに、残りの面１６ｃがスキャナフレーム８の前後側板８１，８２の内面に密着する取付面１６ｃとされており、レール部材１６は、この取付面１６ｃでスキャナフレーム８の前後側板８１，８２にネジ１７（図３参照）により略水平に取り付けられている。なお、レール部材１６は、断面コ字型のものに限らず、例えばＬ字型のものでもよい。
【００２９】
図３に戻り、本体フレーム４５は、給紙部１９や画像形成部２１等を収納する下側フレーム４６と、第２用紙搬送部２３を収納する左側フレーム４７と、下側フレーム４６から延設された右側フレーム４８及び背面側フレーム（図に表れていない）と、右側フレーム４８の上端部から内方に延設された鍔部４９（図５参照）とを有して構成されている。なお、用紙排出部６は、下側フレーム４６の上面４６ａと、側方を囲む左側フレーム４７、右側フレーム４８及び背面側フレームとにより形成されている。
【００３０】
スキャナフレーム８は、本体フレーム４５の左側フレーム４７及び鍔部４９に載置され、左右両側でそれぞれ本体フレーム４５に２箇所ずつビス５０により取付固定されている。すなわち、左側においては、スキャナフレーム８の左側板８４と本体フレーム４５の左側フレーム４７とが略同一面上に配置されるように、スキャナフレーム８の底板８５適所が本体フレーム４５の左側フレーム４７の上面にビス５０により締結されている。
【００３１】
一方、右側においては次のように締結されている。
【００３２】
本実施形態では、用紙排出部６に排出された紙を取り出し易くするため、図１に示すように、本体ハウジング４の右側方においては、奥側に右側壁４ａが設けられており、手前側には用紙取出用のスペース４ｂが形成されている。その関係から、図３に示すように、右側フレーム４８は奥側に形成されているため、スキャナフレーム８の右手前側の部位８ａを本体フレーム４５に締結することはできない。したがって、スキャナフレーム８の右手前側の部位８ａは、他の部分に比べて矢印Ｂの方向に変形しやすくなっている。
【００３３】
そこで、本実施形態では、図３、図５に示すように、スキャナフレーム８の右側板８３の奥側適所から本体フレーム４５の右側フレーム４８に略平行に下方に延設されたビス穴８３１ａを有する取付片８３１（連結部に相当）を前後方向に２箇所形成すると共に、それに対応して、本体フレーム４５の右側フレーム４８にもビス穴４８ａを形成し、上記ビス穴８３１ａ，４８ａに側方からビス５０を螺合させて取付片８３１を本体フレーム４５の右側フレーム４８に密着させることにより、略同一面上に配置されたスキャナフレーム８の右側板８３と本体フレーム４５の右側フレーム４８とを締結するようにしている。なお、取付片８３１の個数は、２つに限られない。
【００３４】
このように、スキャナフレーム８の右側板８３を本体フレーム４５の右側フレーム４８に固定したので、スキャナフレーム８の上方から荷重が作用したときに生じる右側板８３の奥側の浮き上がりが抑制されるとともに、スキャナフレーム８の右側板８３は、上下方向に大きな剛性を有する右側フレーム４８に支持されるので、スキャナフレーム８の右側部分が上下方向に高剛性となり、スキャナフレーム８の上下方向の捩れ剛性が大きくなる。これにより、従来の締結構造に比べて、スキャナフレーム８の右手前側の部位８ａが矢印Ｂの方向に沈み込みにくくなり、スキャナフレーム８の変形を抑制することができる。
【００３５】
なお、第１の実施形態においては、スキャナフレーム８の右側板８３の適所から一体的に取付片８３１を形成して本体フレーム４５に締結するようにしたが、このような取付片８３１を形成せず、第２の実施形態として、図６に示すように、スキャナフレーム８の右側板８３と本体フレーム４５の右側フレーム４８とを所定の締結部材５１を介して間接的に締結するようにしてもよい。
【００３６】
すなわち、スキャナフレーム８の右側板８３の適所にビス穴８３ａを形成すると共に、本体フレーム４５の右側フレーム４８にも同じくビス穴４８ａを形成し、上下にビス穴５１ａ，５１ｂを有する例えば板状の締結部材５１を、側方からビス５０及び５０’をビス穴５１ａ，８３ａ及び５１ｂ，４８ａに螺合させることにより右側板８３及び右側フレーム４８に密着させ、略同一面上に配置されたスキャナフレーム８の右側板８３と本体フレーム４５の右側フレーム４８とを締結するようにしても、第１の実施形態と略同様の作用が得られる。
【００３７】
第１，第２の実施形態においては、取付片８３１及び締結部材５１の締結にビスを用いたが、これに限らず、例えば接着剤等を用いてもよい。
【００３８】
また、第１実施形態では、本発明を複写機に備えられるスキャナフレームの締結構造に適用したが、これに限らず、ファクシミリ装置やスキャナ装置などの画像読取装置に備えられるスキャナフレームの締結構造に適用することができる。
【００３９】
【発明の効果】
本発明によれば、用紙取り出し用のスペースが形成される手前側以外の側方を囲まれて形成されてなる用紙排出スペースの上方で略直方形状のスキャナフレームを前記本体フレームに締結する締結構造とし、略同一面上に配置された前記スキャナフレームの左右側板の一方の側板又は前記本体フレームの左右側板の一方の側板のいずれかに、締結対象となる他方のフレームの側板に平行な連結部を一体的に延設し、この連結部を前記他方のフレームの側板に密着させて取り付けることにより前記スキャナフレームと本体フレームとを締結したので、スキャナフレームの側板は、上下方向に大きな剛性を有する本体フレームの側板により支持されることになり、スキャナフレームの側板とこの側板の一部に隣接する本体フレームの側板との締結部分において、従来の締結構造に比べて、上方からの荷重による上記隣接部分の浮き上がりや隣接部分以外の部分の沈み込みを抑制することができる。
【図面の簡単な説明】
【図１】  複写機の外観構成を示す斜視図である。
【図２】  複写機の概略構成を示す模式図である。
【図３】  本体フレームへのスキャナフレームの取付状態を示す斜視図である。
【図４】  レール部材の取付状態の説明図である。
【図５】  本発明に係る締結構造の断面図である。
【図６】  本発明に係る締結構造の他の実施形態の断面図である。
【図７】  従来技術の説明図である。
【図８】  従来技術の説明図である。
【図９】  従来技術の問題点の説明図である。
【符号の説明】
４      本体ハウジング
４ａ    右側壁
４ｂ    用紙取出用スペース
８      スキャナフレーム
８ａ    右手前側の部位
８３    右側板
８３１  取付片
４５    本体フレーム
４８    右側フレーム
４９    鍔部
５１    締結部材
【図１】
0004150177.tif 000002
【図２】
0004150177.tif 000003
【図３】
0004150177.tif 000004
【図４】
0004150177.tif 000005
【図５】
0004150177.tif 000006
【図６】
0004150177.tif 000007
【図７】
0004150177.tif 000008
【図８】
0004150177.tif 000009
【図９】
0004150177.tif 000010